(57)【要約】【課題】火災等の発生を迅速に検知することができるエレベータの火災検知装置を提供する。【解決手段】かご１内のかご室壁上部近傍に設けられ、かご１内に炎が発生した場合に、炎が発する光及び熱の少なくとも一方を検知して、炎を感知する炎感知器６を備えた。これにより、火災等の煙の発生よりも早く、かご１内の火災等を検知することができるようになった。なお、炎感知器６は、かご１内の四隅上部近傍に設けられる。これにより、照明装置２等のレイアウト等へ影響することもなく、かご１内で発生した炎を漏れなく、より迅速に感知することができる。【選択図】図２
2010024031.tif 000002
【特許請求の範囲】
【請求項１】
かご内に設けられ、前記かご内で炎が発生した場合に、前記炎が発する光及び熱の少なくとも一方を検知して、前記炎を感知する炎感知器、
を備えたことを特徴とするエレベータの火災検知装置。
【請求項２】
前記炎感知器は、
前記かごの一側の側壁と前記かごの出入口側の側壁とが隣接して形成した前記かご内の隅部上方に設けられ、前記かごの他側の側壁と前記かごの奥側の側壁とが隣接して形成した前記かご内の隅部近傍で発生する炎を感知する第１炎感知器と、
前記かごの他側の側壁と前記かごの出入口側の側壁とが隣接して形成した前記かご内の隅部上方に設けられ、前記かごの一側の側壁と前記かごの奥側の側壁とが隣接して形成した前記かご内の隅部近傍で発生する炎を感知する第２炎感知器と、
前記かごの一側の側壁と前記かごの奥側の側壁とが隣接して形成した前記かご内の隅部上方に設けられ、前記かごの他側の側壁と前記かごの出入口側の側壁とが隣接して形成した前記かご内の隅部近傍で発生する炎を感知する第３炎感知器と、
前記かごの他側の側壁と前記かごの奥側の側壁とが隣接して形成した前記かご内の隅部上方に設けられ、前記かごの一側の側壁と前記かごの出入口側の側壁とが隣接して形成した前記かご内の隅部近傍で発生する炎を感知する第４炎感知器と、
からなることを特徴とする請求項１記載のエレベータの火災検知装置。
【請求項３】
前記かごに設けられ、前記炎感知器が前記炎を感知した場合に、前記かご内の乗客に前記炎の感知を知らせる警告を発生する警告装置、
を備えたことを特徴とする請求項１又は請求項２に記載のエレベータの火災検知装置。
【請求項４】
前記かごの停止中に、前記炎感知器が前記炎を感知した場合に、前記かごの停止を維持する運転不能動作手段、
を備えたことを特徴とする請求項１〜請求項３のいずれかに記載のエレベータの火災検知装置。
【請求項５】
前記かごの走行中に、前記炎感知器が前記炎を感知した場合に、前記かごを停止させる停止動作手段、
を備えたことを特徴とする請求項１〜請求項４のいずれかに記載のエレベータの火災検知装置。
【発明の詳細な説明】
【技術分野】
【０００１】
この発明は、エレベータの火災検知装置に関するものである。
【背景技術】
【０００２】
火災時管制運転により動作する警告表示及びオートアナウンス装置を設けたエレベータのかごにおいて、かごの天井部分にかご内発生の火災を検知する煙感知器を取付けると共に、かご内用の警報器を設置したエレベータの火災検知装置が提案されている。
【０００３】
かかる構成の火災検知装置は、煙誘導孔を有する。この煙誘導孔に煙が入ることにより、火災が検知される。これにより、かご内での喫煙、ライターによる側壁、側壁に貼り付けられた貼り紙、かご操作盤の押し釦への放火の悪戯、火災等を検知する。そして、火災等が検知されると、警告表示、オートアナウンスとともに、ブザーを鳴らし、エレベータを最寄階又は避難階へ直行させ、運転休止の措置をとる（例えば、特許文献１参照）。
【０００４】
また、喫煙中の乗客の乗り込みを防止することを目的に、かご操作盤の上方に煙検知器が設けられるエレベータの火災検知装置も提案されている。
かかる構成の火災検知装置は、煙を検知すると、閉扉不能にすると共に、スピーカから音声警告を発する（例えば、特許文献２参照）。
【０００５】
【特許文献１】特開平４−２９２３８８号公報
【特許文献２】実開平６−６１８７９号公報
【発明の開示】
【発明が解決しようとする課題】
【０００６】
しかし、特許文献１等記載のものは、煙が発生してからでなければ、火災等を検知することができない。このため、火災等が実際に発生してから検知されるまで、数秒間の遅れがあるという問題があった。
【０００７】
この発明は、上述のような課題を解決するためになされたもので、その目的は、エレベータのかご内で発生する火災等を迅速に検知することができるエレベータの火災検知装置を提供することである。
【課題を解決するための手段】
【０００８】
この発明に係るエレベータの火災検知装置は、かご内に設けられ、前記かご内で炎が発生した場合に、前記炎が発する光及び熱の少なくとも一方を検知して、前記炎を感知する炎感知器を備えたものである。
【発明の効果】
【０００９】
この発明によれば、エレベータのかご内で発生する火災等を迅速に検知することができる。
【発明を実施するための最良の形態】
【００１０】
この発明を実施するための最良の形態について添付の図面に従って説明する。なお、各図中、同一又は相当する部分には同一の符号を付しており、その重複説明は適宜に簡略化ないし省略する。
【００１１】
実施の形態１．
図１はこの発明の実施の形態１におけるエレベータの火災検知装置が利用されるエレベータのかごの縦断面図である。図２はこの発明の実施の形態１におけるエレベータの火災検知装置が利用されるエレベータのかごの斜視図である。
【００１２】
図１及び図２において、１はかごである。このかご１の天井下面中央には、照明装置２が設けられる。この照明装置２は、かご１内側からアクリルカバー（図示せず）等で覆われる。また、かご１の出入口（図示せず）側の側壁には、かご操作盤３が設けられる。このかご操作盤３の上方には、警告表示装置４が設けられる。この警告表示装置４の上方かつかご１の天井の上方には、警告用ブザー５が設けられる。
【００１３】
本実施の形態においては、かご１内の四隅上部近傍に、第１〜第４炎感知器６ａ〜６ｄが設けられる。第１〜第４炎感知器６ａ〜６ｄは、かご１内で炎が発生した場合に、炎が発する光及び熱の少なくとも一方を検知して、炎を感知する機能を有する。第１〜第４炎感知器６ａ〜６ｄにより、かご１内、かご１の側壁１ａ〜１ｄ全体を見渡す範囲で、炎が感知される設定となっている。
【００１４】
具体的には、第１炎感知器６ａは、かご１の一側の側壁１ａとかご１の出入口側の側壁１ｂとが隣接して形成したかご１内の隅部上方に設けられる。この第１炎感知器６ａは、かご１の他側の側壁１ｃとかご１の奥側の側壁１ｄとが隣接して形成したかご１内の隅部近傍で発生する炎を感知する。また、第２炎感知器６ｂは、かご１の他側の側壁１ｃとかご１の出入口側の側壁１ｂとが隣接して形成したかご１内の隅部上方に設けられる。この第２炎感知器６ｂは、かご１の一側の側壁１ａとかご１の奥側の側壁１ｄとが隣接して形成したかご１内の隅部近傍で発生する炎を感知する。
【００１５】
さらに、第３炎感知器６ｃは、かご１の一側の側壁１ａとかご１の奥側の側壁１ｄとが隣接して形成したかご１内の隅部上方に設けられる。この第３炎感知器６ｃは、かご１の他側の側壁１ｃとかご１の出入口側の側壁１ｂとが隣接して形成したかご１内の隅部近傍で発生する炎を感知する。加えて、第４炎感知器６ｄは、かご１の他側の側壁１ｃとかご１の奥側の側壁１ｄとが隣接して形成したかご１内の隅部上方に設けられる。この第４炎感知器６ｄは、かご１の一側の側壁１ａとかご１の出入口側の側壁１ｂとが隣接して形成したかご１内の隅部近傍で発生する炎を感知する。
【００１６】
次に、本実施の形態における火災検知装置の動作回路について説明する。
図３はこの発明の実施の形態１におけるエレベータの火災検知装置の動作回路図である。
図３において、７は常開接点である。この常開接点７は、第１〜第４炎感知器６ａ〜６ｄのいずれかが炎を感知した場合に、閉状態となるものである。そして、常開接点７には、継電器用動作コイル８が電源（図示せず）に対して直列に接続される。この継電器用動作コイル８は、常開接点７が閉状態となると動作する。そして、継電器用動作コイル８には、常開接点９が電源に対して並列に接続される。この常開接点９は、継電器用動作コイル８が動作すると、閉状態となるものである。
【００１７】
常開接点９には、警告表示発生装置１０、ブザー鳴動装置１１、運転不能動作回路１２、最寄階停止動作回路１３が電源に対して直列に接続される。警告表示発生装置１０、ブザー鳴動装置１１、運転不能動作回路１２、最寄階停止動作回路１３は、互いに電源に対して並列に接続される。そして、警告表示発生装置１０、ブザー鳴動装置１１、運転不能動作回路１２、最寄階停止動作回路１３は、常開接点９が閉状態になると動作する。
【００１８】
警告表示発生装置１０が動作すると、警告表示装置４がかご１内の乗客に炎の感知を知らせる警告用のメッセージを表示する。また、ブザー鳴動装置１１が動作すると、警告用ブザー５が鳴動する。さらに、運転不能動作回路１２が動作すると、停止中のかご１が、その停止を維持し、運転不能となる。加えて、最寄階停止動作回路１３が動作すると、走行中のかご１が最寄階で停止する。
【００１９】
ここで、かご１内での喫煙、ライターによる側壁１ａ等、側壁１ａ等に貼り付けられた貼り紙、かご操作盤３の押し釦への放火の悪戯、火災等があった場合を考える。この場合、第１〜第４炎感知器６ａ〜６ｄのいずれかがタバコやライターの炎が発する光や熱を検知し、炎を感知する。炎が感知されると、警告表示装置４がかご１内の乗客に炎の感知を知らせる警告用のメッセージを表示するとともに、警告用ブザー５が鳴動する。そして、かご１が走行中であれば、かご１が最寄階に停止される。また、かご１が停止中であれば、かご１の停止が維持される。
【００２０】
以上で説明した実施の形態１によれば、第１〜第４炎感知器６ａ〜６ｄは、かご１内に炎が発生した場合に、炎が発する光及び熱の少なくとも一方を検知して、炎を感知する。このため、煙が発生するよりも早く炎を感知することができる。また、かご１内の四隅上部近傍に、第１〜第４炎感知６ａ〜６ｄが設けられる。このため、かご１内で発生した炎が、漏れなく、より迅速に感知される。なお、この場合でも、照明装置２等のレイアウト等へ影響はない。
【００２１】
さらに、第１〜第４炎感知器６ａ〜６ｄが炎を感知した場合、警告表示装置４が、かご１内の乗客に炎の感知を知らせる警告用のメッセージを表示する。このため、かご１内での喫煙や、ライターによるかご操作盤３の押し釦への放火等の悪戯が防止される。また、タバコを持った利用者がかご１内に侵入することや、かご１内での喫煙も防止される。さらに、タバコの燃えかすがかご１内、昇降路ピット内に散乱することも防止される。加えて、かご１の停止中に、炎感知器６ａ等が炎を感知した場合に、運転不能動作手段がかご１の停止を維持する。また、かご１の走行中に、炎感知器６ａ等が炎を感知した場合に、停止動作手段が、かご１を最寄階に停止させる。このため、乗客の安全が図られる。
【００２２】
なお、警告表示装置４、警告表示発生装置１０に替えて、オートアナウンス装置、オートアナウンス発生装置を採用してもよい。この場合、炎が感知されると、オートアナウンス装置が、かご１内の乗客に炎の感知を知らせる警告用のメッセージをアナウンスし、上記同様の効果が得られる。
【図面の簡単な説明】
【００２３】
【図１】この発明の実施の形態１におけるエレベータの火災検知装置が利用されるエレベータのかごの縦断面図である。
【図２】この発明の実施の形態１におけるエレベータの火災検知装置が利用されるエレベータのかごの斜視図である。
【図３】この発明の実施の形態１におけるエレベータの火災検知装置の動作回路図である。
【符号の説明】
【００２４】
１  かご、  １ａ〜１ｂ  側壁、  ２  照明装置、  ３  かご操作盤、
４  警告表示装置、  ５  警告用ブザー、  ６ａ〜６ｄ  第１〜第４炎感知器、
７  常開接点、    ８  継電器用動作コイル、  ９  常開接点、
１０  警告表示発生装置、  １１  ブザー鳴動装置、  １２  運転不能動作回路、
１３  最寄階停止動作回路
【図１】
2010024031.tif 000003
【図２】
2010024031.tif 000004
【図３】
2010024031.tif 000005